(57)【要約】【課題】本発明は、表示面からユーザまでの距離に応じて表示状態を調整できる表示装置、該方法および該システムを提供する。そして、本発明は、前記表示装置に記憶される測色値を求めるための２次元測色計および該方法を提供する。【解決手段】本発明の表示装置ＤＰは、表示面に表示を行うＤＰ表示部１２と、前記表示面からユーザの位置までのユーザ距離に関する距離情報をリモコンＲＤを介して受け付ける通信ＩＦ部１３と、前記表示面から複数の測色位置までの複数の測色距離それぞれで前記表示面を２次元で測色した複数の測色結果に前記複数の測色距離それぞれを対応付けた測色情報を記憶する測色情報記憶部１４１と、前記受け付けた距離情報に基づくユーザ距離と測色情報記憶部１４１に記憶された測色情報とに基づいて前記ユーザの位置から前記表示面を見た場合に目標の見え方となるように、ＤＰ表示部１２の表示状態を調整する表示調整部１１３とを備える。【選択図】図１
2017146525.tif 000002
【特許請求の範囲】
【請求項１】
表示面に表示を行う表示部と、
前記表示面からユーザの位置までのユーザ距離に関する距離情報を受け付ける距離入力部と、
前記表示面から複数の測色位置までの複数の測色距離それぞれで前記表示面を２次元で測色した複数の測色結果に前記複数の測色距離それぞれを対応付けた測色情報を記憶する測色情報記憶部と、
前記距離入力部で受け付けた距離情報に基づくユーザ距離と前記測色情報記憶部に記憶された測色情報とに基づいて、前記ユーザの位置から前記表示面を見た場合に予め設定された目標の見え方となるように、前記表示部の表示状態を調整する表示調整部とを備えること
を特徴とする表示装置。
【請求項２】
前記表示調整部は、前記距離入力部で受け付けた距離情報に基づくユーザ距離と前記測色情報記憶部に記憶された測色情報とに基づいて、前記ユーザの位置から前記表示面を見た場合に予め設定された目標の見え方となるように、前記表示面上の位置に応じた調整値で、前記表示部の表示状態を調整すること
を特徴とする請求項１に記載の表示装置。
【請求項３】
前記距離入力部は、
ユーザによる操作を受け付ける入力部と、
互いに異なる複数の距離情報を前記表示部に表示し、前記表示部に表示した前記複数の距離情報のうちの１つを前記入力部で受け付けたユーザによる操作に基づいて選定し、前記選定した距離情報を前記表示調整部で用いる距離情報として設定する距離情報設定部とを備えること
を特徴とする請求項１または請求項２に記載の表示装置。
【請求項４】
前記入力部は、リモートコントローラで受け付けたユーザによる操作を受信する通信インターフェース部であること
を特徴とする請求項３に記載の表示装置。
【請求項５】
表示部の表示面から複数の測色位置までの複数の測色距離それぞれで前記表示面を２次元で測色した複数の測色結果に前記複数の測色距離それぞれを対応付けた測色情報を測色情報記憶部に記憶する記憶工程と、
前記表示面からユーザの位置までのユーザ距離に関する距離情報を受け付ける距離入力工程と、
前記距離入力工程で受け付けた距離情報に基づくユーザ距離と前記測色情報記憶部に記憶された測色情報とに基づいて、前記ユーザの位置から前記表示面を見た場合に予め設定された目標の見え方となるように、前記表示部の表示状態を調整する表示調整工程とを備えること
を特徴とする表示方法。
【請求項６】
測定対象を２次元で測色する２次元測色計と、請求項１ないし請求項４のいずれか１項に記載の表示装置とを備える表示システムであって、
前記２次元測色計は、測定結果を外部の機器へ出力する測色側インターフェース部を備え、
前記表示装置は、前記２次元測色計の前記測色側インターフェース部から出力された測色結果を取得する表示側インターフェース部と、前記表示側インターフェース部で取得した前記測色結果を前記測色情報として前記測色情報記憶部に記憶する測色情報記憶処理部とをさらに備えること
を特徴とする表示システム。
【請求項７】
請求項１ないし請求項４のいずれか１項に記載の表示装置における前記測色情報を測定する２次元測色計であって、
測定対象を２次元で測色する２次元測色部と、
前記２次元測色部で測定した測定結果を外部の機器へ出力する測色側インターフェース部と、
前記測定対象として前記表示装置を前記２次元測色部で測定することによって得られた測定結果を前記測色情報として前記測色側インターフェース部から出力するように、前記測色側インターフェース部を制御する制御部とを備えること
を特徴とする２次元測色計。
【請求項８】
請求項１ないし請求項４のいずれか１項に記載の表示装置における前記測色情報を測定する２次元測色方法であって、
測定対象として前記表示装置を２次元で測色する２次元測色工程と、
前記２次元測色工程で測定することによって得られた測定結果を前記測色情報として出力する出力工程とを備えること
を特徴とする２次元測色方法。
【発明の詳細な説明】
【技術分野】
【０００１】
本発明は、表示装置、表示方法および表示システムに関し、特に、表示面からユーザまでの距離に応じて表示状態（表示出力）を調整できる表示装置、表示方法および表示システムに関する。そして、本発明は、前記表示装置に記憶される測色値を求めるための２次元測色計および２次元測色方法に関する。
【背景技術】
【０００２】
従来、様々な表示装置が研究、開発され、提案されている。例えば、特許文献１に開示された表示装置は、ユーザの存在を検知するセンサを搭載した表示装置であって、前記センサの検出結果をもとに前記ユーザの位置を算出し、前記ユーザの位置に応じて出力態様を変更するセンサ処理部を備える。より具体的には、センサ処理部は、ユーザの位置に応じて、画面表示される文字情報の制御、映像調整、音声調整、タッチパネルでの操作アイコン表示調整を行う。より詳しくは、前記映像調整として、ユーザがテレビの近くにいると判断した場合、センサ処理部は、輝度を低くし、逆に、ユーザがテレビから遠い位置にいると判断した場合、センサ処理部は、輝度を高くする（特許文献１の例えば［００２４］段落等）。
【先行技術文献】
【特許文献】
【０００３】
【特許文献１】特開２０１１−２４７９８３号公報
【発明の概要】
【発明が解決しようとする課題】
【０００４】
ところで、表示装置には、表示面の中央位置を通る表示面の法線方向を基準とした、ユーザの表示面を見る角度によって見え方が異なることがある。特に、液晶表示装置では、前記見え方は、前記角度に依存する。このため、前記法線上から前記表示面における前記法線を含む小領域を見た見え方が正常な見え方と定義され、前記正常な見え方と同等に見える前記角度の範囲が視野角として規定されている。したがって、ユーザが前記表示面の法線方向から前記表示面を見た場合、当然、前記ユーザは、前記小領域の表示を正常な見え方で見ることができる。しかしながら、ユーザが前記表示面の法線方向から前記表示面を見た場合、前記表示面の周辺部では、前記ユーザは、前記視野角を外れた前記角度から前記表示面を見ることとなる場合が生じ、このような状況では、前記正常な見え方と異なった見え方となってしまい、表示状態（表示出力）の調整が望まれる。特に、近年では、表示面の大きさが大型化しているため、このような状況に成り易く、前記表示状態の調整が一層望まれる。
【０００５】
前記特許文献１に開示された表示装置は、テレビとユーザとの距離に応じて輝度を表示面全体で一律に調整しているだけであるので、前記状況での見え方を改善することは難しい。
【０００６】
本発明は、上述の事情に鑑みて為された発明であり、その目的は、表示面からユーザまでの距離に応じて表示状態を調整できる表示装置、表示方法および表示システムを提供することである。そして、本発明は、前記表示装置に記憶される測色値を求めるための２次元測色計および２次元測色方法を提供することである。
【課題を解決するための手段】
【０００７】
本発明者は、種々検討した結果、上記目的は、以下の本発明により達成されることを見出した。すなわち、本発明の一態様にかかる表示装置は、表示面に表示を行う表示部と、前記表示面からユーザの位置までのユーザ距離に関する距離情報を受け付ける距離入力部と、前記表示面から複数の測色位置までの複数の測色距離それぞれで前記表示面を２次元で測色した複数の測色結果に前記複数の測色距離それぞれを対応付けた測色情報を記憶する測色情報記憶部と、前記距離入力部で受け付けた距離情報に基づくユーザ距離と前記測色情報記憶部に記憶された測色情報とに基づいて、前記ユーザの位置から前記表示面を見た場合に予め設定された目標の見え方となるように、前記表示部の表示状態を調整する表示調整部とを備えることを特徴とする。好ましくは、上述の表示装置において、前記距離情報は、前記ユーザ距離そのものである。好ましくは、上述の表示装置において、前記距離情報は、前記表示面に対する観察視野（ＦＯＶ；Ｆｉｅｌｄ  ｏｆ  Ｖｉｅｗ）である。好ましくは、上述の表示装置において、前記表示状態（表示出力）は、輝度および色度のうちの少なくとも一方である。好ましくは、上述の表示装置において、前記目標の見え方は、予め定義された所定の見え方である。好ましくは、上述の表示装置において、前記目標の見え方は、表示面の中央位置を通る表示面の法線上から前記表示面の前記中央位置を見た場合における見え方（正常な見え方）である。好ましくは、上述の表示装置において、前記表示調整部は、前記測色情報記憶部に記憶された前記測色情報から前記距離入力部で受け付けた距離情報に基づくユーザ距離に応じた測色結果を取り出し、前記取り出した測色結果と前記目標の見え方との差を補償するように前記表示部における各画素の出力を調整することで、前記表示部の表示状態を調整する。好ましくは、上述の表示装置において、前記表示調整部は、前記測色情報記憶部に記憶された前記測色情報に、前記距離入力部で受け付けた距離情報に基づくユーザ距離に当たる測色結果が無い場合に、前記測色情報記憶部に記憶された前記測色情報から前記距離入力部で受け付けた距離情報に基づくユーザ距離に近い順に選択した複数（例えば２個や４個等）の測色距離に対応する複数の測色結果に基づいて、補間（例えば線形補間やスプライン補間やラグランジュ補間等）によって、前記距離入力部で受け付けた距離情報に基づくユーザ距離に応じた測色結果を生成する。
【０００８】
このような表示装置は、前記距離入力部で受け付けた距離情報に基づくユーザ距離と前記測色情報記憶部に記憶された測色情報とに基づいて、前記ユーザの位置から前記表示面を見た場合に予め設定された目標の見え方となるように、前記表示部の表示状態を調整する表示調整部を備えるので、表示面からユーザまでの距離に応じて表示状態（表示出力）を調整できる。
【０００９】
また、他の一態様では、上述の表示装置において、前記表示調整部は、前記距離入力部で受け付けた距離情報に基づくユーザ距離と前記測色情報記憶部に記憶された測色情報とに基づいて、前記ユーザの位置から前記表示面を見た場合に予め設定された目標の見え方となるように、前記表示面上の位置に応じた調整値で、前記表示部の表示状態を調整することを特徴とする。好ましくは、上述の表示装置において、前記測色結果は、前記表示面を複数に分けた複数の領域それぞれに対する複数の測定値を含み、前記表示調整部は、前記測色情報記憶部に記憶された前記測色情報から前記距離入力部で受け付けた距離情報に基づくユーザ距離に応じた測色結果を取り出し、前記表示部における各画素ごとに、前記取り出した測色結果と前記目標の見え方との差を補償するように前記表示面上の位置に応じた調整値をそれぞれ生成し、前記生成した各調整値で前記表示部における各画素の出力を調整することで、前記表示部の表示状態を調整する。
【００１０】
ユーザは、表示面の各位置を、前記各位置に応じた各角度で見込むため、前記各位置に応じた各見え方で見えることになる。このような表示装置は、前記表示面上の位置に応じた調整値で、前記表示部の表示状態を調整するので、前記各位置に応じた各見え方を個々に調整できる。
【００１１】
また、他の一態様では、これら上述の表示装置において、前記距離入力部は、ユーザによる操作を受け付ける入力部と、互いに異なる複数の距離情報を前記表示部に表示し、前記表示部に表示した前記複数の距離情報のうちの１つを前記入力部で受け付けたユーザによる操作に基づいて選定し、前記選定した距離情報を前記表示調整部で用いる距離情報として設定する距離情報設定部とを備えることを特徴とする。
【００１２】
このような表示装置は、予め用意された複数の距離情報のうちから、ユーザの所望する距離情報を容易に選択して表示装置に設定できる。
【００１３】
また、他の一態様では、これら上述の表示装置において、前記入力部は、リモートコントローラで受け付けたユーザによる操作を受信する通信インターフェース部であることを特徴とする。
【００１４】
このような表示装置は、遠隔操作で、ユーザの所望する距離情報を容易に選択して表示装置に設定できる。
【００１５】
そして、本発明の他の一態様にかかる表示方法は、表示部の表示面から複数の測色位置までの複数の測色距離それぞれで前記表示面を２次元で測色した複数の測色結果に前記複数の測色距離それぞれを対応付けた測色情報を測色情報記憶部に記憶する記憶工程と、前記表示面からユーザの位置までのユーザ距離に関する距離情報を受け付ける距離入力工程と、前記距離入力工程で受け付けた距離情報に基づくユーザ距離と前記測色情報記憶部に記憶された測色情報とに基づいて、前記ユーザの位置から前記表示面を見た場合に予め設定された目標の見え方となるように、前記表示部の表示状態を調整する表示調整工程とを備えることを特徴とする。
【００１６】
このような表示方法は、前記距離入力工程で受け付けた距離情報に基づくユーザ距離と前記測色情報記憶部に記憶された測色情報とに基づいて、前記ユーザの位置から前記表示面を見た場合に予め設定された目標の見え方となるように、前記表示部の表示状態を調整する表示調整工程を備えるので、表示面からユーザまでの距離に応じて表示状態（表示出力）を調整できる。
【００１７】
さらに、本発明の他の一態様にかかる表示システムは、測定対象を２次元で測色する２次元測色計と、これら上述のいずれかの表示装置とを備える表示システムであって、前記２次元測色計は、測定結果を外部の機器へ出力する測色側インターフェース部を備え、前記表示装置は、前記２次元測色計の前記測色側インターフェース部から出力された測色結果を取得する表示側インターフェース部と、前記表示側インターフェース部で取得した前記測色結果を前記測色情報として前記測色情報記憶部に記憶する測色情報記憶処理部とをさらに備えることを特徴とする。好ましくは、上述の表示システムにおいて、前記２次元測色計は、３刺激値を測定する２次元色彩計である。
【００１８】
このような表示システムは、これら上述のいずれかの表示装置を備えるので、表示面からユーザまでの距離に応じて表示状態（表示出力）を調整できる。そして、上記表示システムは、２次元測色計を備え、表示装置は、前記２次元測色計で測色した測色結果を取得するので、自動的に、前記測色結果を前記測色情報として前記測色情報記憶部に記憶できる。
【００１９】
また、本発明の他の一態様にかかる２次元測色計は、これら上述のいずれかの表示装置における前記測色情報を測定する２次元測色計であって、測定対象を２次元で測色する２次元測色部と、前記２次元測色部で測定した測定結果を外部の機器へ出力する測色側インターフェース部と、前記測定対象として前記表示装置を前記２次元測色部で測定することによって得られた測定結果を前記測色情報として前記測色側インターフェース部から出力するように、前記測色側インターフェース部を制御する制御部とを備えることを特徴とする。また、本発明の他の一態様にかかる２次元測色方法は、これら上述のいずれかの表示装置における前記測色情報を測定する２次元測色方法であって、測定対象として前記表示装置を２次元で測色する２次元測色工程と、前記２次元測色工程で測定することによって得られた測定結果を前記測色情報として出力する出力工程とを備えることを特徴とする。
【００２０】
これらによれば、前記表示装置に記憶される測色値を求めるための２次元測色計および２次元測色方法を提供できる。そして、このような２次元測色計および２次元測色方法は、自動的に、前記測色結果を前記測色情報として前記表示装置へ出力できる。
【発明の効果】
【００２１】
本発明にかかる表示装置、表示方法および表示システムは、表示面からユーザまでの距離に応じて表示状態を調整できる。そして、本発明によれば、前記表示装置に記憶される測色値を求めるための２次元測色計および２次元測色方法を提供できる。
【図面の簡単な説明】
【００２２】
【図１】実施形態における表示システムの構成を示す図である。
【図２】前記表示システムにおける表示装置の構成を示すブロック図である。
【図３】前記表示システムにおける２次元測色計の構成を示すブロック図である。
【図４】前記表示システムにおいて、表示装置の表示面を複数の測色位置それぞれで２次元測色計によって測定する様子を説明するための図である。
【図５】前記表示システムにおける表示装置に測色情報として記憶される、図４に示す第３測色位置ＰＭ３で測色された測色結果の一例を示す図である。
【図６】前記表示システムにおいて、測色情報を２次元測色計から表示装置に入力する態様を説明するための図である。
【図７】前記表示システムにおける表示装置の表示状態の調整に関する設定の動作を示すフローチャートである。
【図８】前記表示システムにおける表示装置の表示側表示部に表示される、表示状態の調整に関する一例の設定画面を説明するための図である。
【図９】前記表示システムにおける表示装置の表示状態の調整に関する動作を示すフローチャートである。
【図１０】前記表示システムにおける表示装置の表示状態を説明するための図である。
【図１１】測色情報を取得する際に、前記表示システムにおける表示装置の表示側表示部に表示される画面の一例を説明するための図である。
【図１２】ユーザ距離と観察視野ＦＯＶとの関係を説明するための図である。
【発明を実施するための形態】
【００２３】
以下、本発明にかかる実施の一形態を図面に基づいて説明する。なお、各図において同一の符号を付した構成は、同一の構成であることを示し、適宜、その説明を省略する。本明細書において、総称する場合には添え字を省略した参照符号で示し、個別の構成を指す場合には添え字を付した参照符号で示す。
【００２４】
（主要な用語の説明）
（１）ＭＤｘＭＤｙＭＤｚ直交座標系：ＭＤｘＭＤｙＭＤｚ直交座標系は、表示装置ＤＰから見た他の物体（例えば２次元測色計ＭＤ）の位置を表すために設定された座標系であり、表示装置ＤＰにおける表示面の中央位置を通る前記表示面の法線をＭＤｚ軸とし、前記ＭＤｚ軸に直交しかつ互いに直交する水平方向および垂直方向それぞれに沿った水平線および垂直線それぞれをＭＤｘ軸およびＭＤｙ軸とする座標系である。このＭＤｘＭＤｙＭＤｚ直交座標系でのユーザの位置（所在位置、観察位置）ＰＵは、座標ＰＵ（Ｕｘ、Ｕｙ、Ｕｚ）で表され、前記表示面からユーザの位置までの距離は、ユーザ距離Ｕｄｉｓで表される。前記ＭＤｘＭＤｙＭＤｚ直交座標系での２次元測色計ＭＤの位置（測色位置）ＰＭは、座標ＰＭ（ＭＤｘ、ＭＤｙ、ＭＤｚ）で表され、前記表示面から２次元測色計ＭＤの位置までの距離は、測色距離Ｍｄｉｓで表される。図４には、前記ＭＤｘＭＤｙＭＤｚ直交座標系の一例が示されている。
【００２５】
（２）ＤＰｘＤＰｙ直交座標系：ＤＰｘＤＰｙ直交座標系は、２次元測色計ＭＤによって測定される、表示装置ＤＰにおける前記表示面上の位置を表すために、前記表示面上に設定された座標系であり、前記表示面の中央位置を座標原点とし、互いに直交する水平線および垂直線それぞれをＤＰｘ軸およびＤＰｙ軸とする座標系である。なお、説明の簡単化のために、本実施形態では、ＭＤｘＭＤｙＭＤｚ直交座標系およびＤＰｘＤＰｙ直交座標系では、ＭＤｘ軸とＤＰｘ軸とは、互いに一致させ、ＭＤｙ軸とＤＰｙ軸とは、互いに一致させている（ＭＤｘ＝ＤＰｘ、ＭＤｙ＝ＤＰｙ）。図４には、前記ＤＰｘＤＰｙ直交座標系の一例が示されている。
【００２６】
（３）色度輝度調整用画像：色度輝度調整用画像（測色情報取得用画像）は、表示装置ＤＰに表示される画像を、真の色度、輝度に校正（＝補正）するために表示装置ＤＰに表示される画像である。具体的には、白色、原色、中間色等の一様画像である。
【００２７】
（４）測色情報：測色情報は、前記表示面から複数の測色位置までの複数の測色距離それぞれで前記表示面を２次元で測色した複数の測色結果に前記複数の測色距離それぞれを対応付けた情報である。測色情報は、表示装置ＤＰに前記色度輝度調整用画像を表示させ、これを、前記複数の測色位置に配置された２次元測色計ＭＤによって測定することによって生成される。
【００２８】
（構成）
図１は、実施形態における表示システムの構成を示す図である。図２は、前記表示システムにおける表示装置の構成を示すブロック図である。図３は、前記表示システムにおける２次元測色計の構成を示すブロック図である。図４は、前記表示システムにおいて、表示装置の表示面を複数の測色位置それぞれで２次元測色計によって測定する様子を説明するための図である。図５は、前記表示システムにおける表示装置に測色情報として記憶される、図４に示す第３測色位置ＰＭ３で測色された測色結果の一例を示す図である。図６は、前記表示システムにおいて、測色情報を２次元測色計から表示装置に入力する態様を説明するための図である。図６（Ａ）は、ケーブルを介して測色情報を２次元測色計から表示装置に入力する第１態様を示し、図６（Ｂ）は、記憶媒体（記録媒体）を介して測色情報を２次元測色計から表示装置に入力する第２態様を示す。
【００２９】
実施形態における表示システムＤＳは、例えば、図１に示すように、表示を行う表示装置ＤＰと、測定対象を２次元で測色する２次元測色計ＭＤとを備える。この表示システムＤＳにおける２次元測色計ＭＤは、例えば白色、赤色（Ｒ）、緑色（Ｇ）、青色（Ｂ）および中間色等の測色情報を得るために好適な所定の色度輝度調整用画像（測色情報取得用画像）を表示した表示装置ＤＰの表示面を前記測定対象として２次元で測色する。この表示システムＤＳにおける表示装置ＤＰは、２次元測色計ＭＤで測色した測色結果を、前記表示面からその測色位置ＰＭまでの測色距離Ｍｄｉｓと対応付けて予め記憶し、表示を行う際に、前記表示面からユーザの位置（所在位置）ＰＵまでのユーザ距離Ｕｄｉｓと、このユーザ距離Ｕｄｉｓに対応した測色距離Ｍｄｉｓでの測色結果とに基づいて、前記ユーザの位置ＰＵから前記表示面を見た場合に予め設定された目標の見え方となるように、前記表示部の表示状態を調整する。
【００３０】
このような表示システムＤＳにおける表示装置ＤＰは、例えば、図２に示すように、表示側制御処理部（ＤＰ制御処理部）１１と、表示側表示部（ＤＰ表示部）１２と、通信インターフェース部（通信ＩＦ部）１３と、表示側記憶部（ＤＰ記憶部）１４と、アンテナ１５と、表示側インターフェース部（ＤＰＩＦ部）１６とを備える。
【００３１】
ＤＰ表示部１２は、ＤＰ制御処理部１１に接続され、ＤＰ制御処理部１１の制御に従って表示面に所定の表示を行う装置である。ＤＰ表示部１２は、例えば、表示パネル、および、前記表示パネルの表示面に前記所定の表示として例えば静止画や動画等のコンテンツを表示するように、前記表示パネルをＤＰ制御処理部１１の制御に従って駆動する駆動回路等を備えて構成される。前記表示パネルは、例えば、液晶表示パネルや有機ＥＬパネルやプラズマパネル等である。
【００３２】
通信ＩＦ部１３は、ＤＰ制御処理部１１に接続され、ＤＰ制御処理部１１の制御に従ってリモートコントローラＲＤで受け付けたユーザによる操作を受信する通信回路である。通信ＩＦ部１３は、リモートコントローラＲＤから、ユーザによる操作の内容を表すデータ（操作情報）を収容した通信信号を受信し、この受信した通信信号から前記操作情報を取り出し、この取り出した操作情報をＤＰ制御処理部１１が処理可能な形式のデータに変換してＤＰ制御処理部１１へ出力する。通信ＩＦ部１３は、ＤＰ制御処理部１１から入力された送信すべきデータを収容した通信信号を、この通信で用いられる通信プロトコルに従って生成し、この生成した通信信号をリモートコントローラＲＤへ送信する。通信ＩＦ部１３は、例えば、Ｂｌｕｅｔｏｏｔｈ（登録商標）規格を用いたインターフェース回路、および、ＩｒＤＡ規格等の赤外線通信を行うインターフェース回路等である。通信ＩＦ部１３は、ユーザによる操作を受け付ける入力部（表示側入力部（ＤＰ入力部））の一例に相当する。なお、表示装置ＤＰは、ユーザによる操作を受け付けるＤＰ入力部の他の一例として、通信ＩＦ部１３に代え、あるいは、通信ＩＦ部１３に追加して、例えば所定の機能を割り付けた複数のスイッチ回路を備える入力回路を備えても良い。
【００３３】
ここで、リモートコントローラＲＤは、ユーザによる操作を遠隔で表示装置ＤＰに入力するための装置である。リモートコントローラＲＤは、例えば、図２に示すように、表示装置ＤＰの電源を入り切り（オンオフ）するための電源ボタン４１と、表示装置ＤＰの音量を上げ下げするための音量ボタン４２と、選局するための選局ボタン４３と、ＤＰ表示部１２に表示された操作対象を移動させるためのカーソルボタン４４（４４−１〜４４−４）と、ＤＰ表示部１２に表示された入力候補を確定して入力するための決定ボタン４５と、表示装置ＤＰにメニューを表示させるためのメニューボタン４６と、表示装置ＤＰの通信ＩＦ部１３で用いられた規格と同じ規格で通信を行う図略の通信回路と、これら各ボタン４１〜４６および前記通信回路に接続され、各ボタン４１〜４６が操作されると、その旨を収容した通信信号を前記通信回路から送信する図略の制御回路とを備える。カーソルボタン４４は、ＤＰ表示部１２に表示された操作対象を上方向に移動させるための上方向カーソルボタン４４−１と、ＤＰ表示部１２に表示された前記操作対象を下方向に移動させるための下方向カーソルボタン４４−２と、ＤＰ表示部１２に表示された前記操作対象を右方向に移動させるための右方向カーソルボタン４４−３と、ＤＰ表示部１２に表示された操作対象を左方向に移動させるための左方向カーソルボタン４４−４とを備える。
【００３４】
アンテナ１５は、ＤＰ制御処理部１１に接続され、電波を受信して受信信号を生成し、この生成した受信信号をＤＰ制御処理部１１へ出力するものである。
【００３５】
ＤＰＩＦ部１６は、ＤＰ制御処理部１１に接続され、ＤＰ制御処理部１１の制御に従って外部機器との間でデータの入出力を行う回路であり、例えば、ＲＳ−４８５規格を用いたインターフェース回路、ＵＳＢ（Ｕｎｉｖｅｒｓａｌ  Ｓｅｒｉａｌ  Ｂｕｓ）規格を用いたインターフェース回路、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ、登録商標）規格を用いたインターフェース回路、ＩＥＥＥ１３９４規格を用いたインターフェース回路、イーサネット（Ｅｔｈｅｒｎｅｔ、登録商標）規格を用いたインターフェース回路およびＩＥＥＥ８０２．１１規格を用いたインターフェース回路等である。
【００３６】
ＤＰ記憶部１４は、ＤＰ制御処理部１１に接続され、ＤＰ制御処理部１１の制御に従って各種の所定のプログラムおよび各種の所定のデータを記憶する回路である。前記各種の所定のプログラムには、例えば、表示装置ＤＰの各部を当該各部の機能に応じてそれぞれ制御するＤＰ制御プログラムや、アンテナ１５で得られた受信信号を映像信号に変換し、この映像信号の映像をＤＰ表示部１２の表示面に表示するように、ＤＰ表示部１２を制御する映像信号生成プログラムや、互いに異なる複数の距離情報をＤＰ表示部１２に表示し、ＤＰ表示部１２に表示した複数の距離情報のうちの１つを、リモートコントローラＲＤおよび通信ＩＦ部１３を介して受け付けたユーザによる操作に基づいて選定し、この選定した距離情報を後述の表示調整プログラムで用いる距離情報としてＤＰ記憶部１４に設定して記憶する距離情報設定プログラムや、前記映像信号生成プログラムによってＤＰ表示部１２の表示面に前記映像を表示する際に、前記距離情報設定プログラムでＤＰ記憶部１４に設定され記憶された距離情報に基づく、ＤＰ表示部１２の表示面からユーザの位置ＰＵまでのユーザ距離Ｕｄｉｓと後述の測色情報とに基づいて、ユーザの位置ＰＵから前記表示面を見た場合に予め設定された目標の見え方となるように、ＤＰ表示部１２の表示状態を調整する表示調整プログラムや、２次元測色計ＭＤからＤＰＩＦ部１６を介して測色結果を取得しこの取得した測色結果を前記測色情報としてＤＰ記憶部１４に記憶する測色情報記憶処理プログラム等の制御処理プログラムが含まれる。前記各種の所定のデータには、前記測色情報や前記距離情報等の各プログラムを実行する上で必要なデータ等が含まれる。ＤＰ記憶部１４は、例えば不揮発性の記憶素子であるＲＯＭ（Ｒｅａｄ  Ｏｎｌｙ  Ｍｅｍｏｒｙ）や書き換え可能な不揮発性の記憶素子であるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等を備える。ＤＰ記憶部１４は、前記所定のプログラムの実行中に生じるデータ等を記憶するいわゆるＤＰ制御処理部１１のワーキングメモリとなるＲＡＭ（Ｒａｎｄｏｍ  Ａｃｃｅｓｓ  Ｍｅｍｏｒｙ）等を含む。そして、ＤＰ記憶部１４は、前記測色情報および前記距離情報それぞれを記憶するために、測色情報記憶部１４１および距離情報記憶部１４２を機能的に備える。
【００３７】
測色情報記憶部１４１は、前記測色情報を記憶するものである。前記測色情報は、ユーザが表示装置ＤＰを使用する前、例えば製造段階等に、生産者等によって予め測色情報記憶部１４１に記憶される。前記測色情報は、ＤＰ表示部１２の前記表示面から複数の測色位置ＰＭまでの複数の測色距離Ｍｄｉｓそれぞれで前記表示面を２次元で測色した複数の測色結果に、前記複数の測色距離Ｍｄｉｓそれぞれを対応付けた情報である。前記測色情報を得る測定（測色）では、ＤＰ表示部１２の表示状態を調整する上で好適な予め設定された所定の画像（色度輝度調整用画像（測色情報取得用画像））がＤＰ表示部１２に表示され、ＤＰ表示部１２の表示面から測色距離Ｍｄｉｓに位置する測色位置ＰＭに２次元測色計ＭＤが配置され、ＤＰ表示部１２の表示面が２次元測色計ＭＤによって２次元で測色される。そして、このような測色が複数の測色距離Ｍｄｉｓそれぞれで実行される。
【００３８】
より具体的には、図４に示すように、ＤＰ表示部１２における前記表示面の中央位置（例えば前記表示面が矩形である場合に対角線の交点位置等）を通る前記表示面の法線をＭＤｚ軸とし、前記ＭＤｚ軸に直交しかつ互いに直交する水平方向および垂直方向それぞれに沿った水平線および垂直線それぞれをＭＤｘ軸およびＭＤｙ軸とするＭＤｘＭＤｙＭＤｚ直交座標系を設定した場合に、前記測色情報は、ＭＤｚ軸上における６個の第１から第６測色位置ＰＭ１〜ＰＭ６に１個の２次元測色計ＭＤが順次に配置され、ＤＰ表示部１２の表示面が２次元測色計ＭＤによって２次元で測色されることで、生成される。なお、図４には、ＤＰ表示部１２の表示面から第３測色位置ＰＭ３までの第３測色距離Ｍｄｉｓ３が例示されている。
【００３９】
前記測定の際に、前記色度輝度調整用画像として、前記表示面の全面に白色、原色および中間色それぞれが表示される。したがって、本実施形態では、前記測色情報は、前記複数の測色距離Ｍｄｉｓそれぞれに対応する複数の測色位置ＰＭ（ＭＤｘ、ＭＤｙ、ＭＤｚ）それぞれにおいて、前記表示面の全面に白色、原色および中間色それぞれを表示させて測色した測色結果を含む。前記原色は、赤色、青色および緑色を含む（すなわち、前記測色情報は、前記複数の測色距離Ｍｄｉｓそれぞれに対応する複数の測色位置ＰＭそれぞれにおいて、前記表示面の全面に赤色、青色および緑色それぞれを表示させて測色した測色結果を含む）。図４に示す例では、センチメートル単位（ｃｍ）で、第１測色位置ＰＭ１は、座標（０、０、３０）であり、第２測色位置ＰＭ２は、座標（０、０、５０）であり、第３測色位置ＰＭ３は、座標（０、０、１００）であり、第４測色位置ＰＭ４は、座標（０、０、２００）であり、第５測色位置ＰＭ５は、座標（０、０、３００）であり、そして、図略の第６測色位置ＰＭ６は、座標（０、０、５００）である。したがって、これら第１ないし第６測色位置ＰＭ１〜ＰＭ６は、ＭＤｚ軸上に位置する。一例として、第３測色位置ＰＭ３において、所定の温度（例えば室温２５℃等）の場合に、２次元測色計ＭＤによってＤＰ表示部１２の前記表示面を２次元で測色した第３測色結果が図５に示されている。図５では、ＤＰ表示部１２の表示面上に、ＤＰ表示部１２における前記表示面の中央位置（例えば前記表示面が矩形である場合に対角線の交点位置等）を座標原点とし、互いに直交する水平線および垂直線それぞれをＤＰｘ軸およびＤＰｙ軸とするＤＰｘＤＰｙ直交座標系を設定した場合に、各測色結果は、横方向を各ＤＰｘ値とし、縦方向を各ＤＰｙ値とする２次元マトリクス状のテーブルに登録されている。なお、各ＤＰｘ値は、複数の画素数から成る第１間隔（水平）ごとに割り当てられ、各ＤＰｙ値は、複数の画素数から成る第２間隔（垂直）ごとに割り当てられている。例えば、ＤＰ表示部１２の表示解像度が１９２０×１０８０である場合、前記第１間隔は、６２画素であり、各ＤＰｘは、６２画素ごとに割り当てられ、前記第２間隔は、７２画素であり、各ＤＰｙは、７２画素ごとに割り当てられる。したがって、図５に示す例では、原則６２×７２を単位領域としてＤＰ表示部１２の表示面における２次元分布が測色されている（周辺は、６１×７２）。したがって、前記測色結果は、ＤＰ表示部１２の前記表示面を複数に分けた複数の単位領域それぞれに対する複数の測定値を含む。そして、前記テーブルの各欄には、当該単位領域の測色値として、上段に輝度値Ｙが登録され、中段に、ｘｙ色度図における色度ｘが登録され、そして、下段に、前記ｘｙ色度図における色度ｙが登録されている。白色表示（赤Ｒ＝２５５／緑Ｇ＝２５５／青Ｂ＝２５５）した状態で、例えば、図５において、前記表示面上の位置（−７、−１５）での測色結果は、輝度Ｙが４０ｃｄ／ｍ２であり、色度ｘが０．３３０であり、色度ｙが０．３４５であり、前記表示面上の位置（０、０）での測色結果は、輝度Ｙが１００ｃｄ／ｍ２であり、色度ｘが０．３１２７であり、色度ｙが０．３２９０であり、前記表示面上の位置（−７、１５）での測色結果は、輝度Ｙが４４ｃｄ／ｍ２であり、色度ｘが０．３２９であり、色度ｙが０．３４５であり、そして、前記表示面上の位置（７、−１５）での測色結果は、輝度Ｙが３９ｃｄ／ｍ２であり、色度ｘが０．３３３であり、色度ｙが０．３４８である。これら輝度Ｙは、前記表示面の全面に白色を表示させて測色された測色結果に基づいて得られ、色度ｘ、ｙは、前記表示面の全面に赤色（Ｒ＝２５５／Ｇ＝０／Ｂ＝０）、緑色（Ｒ＝０／Ｇ＝２５５／Ｂ＝０）および青色（Ｒ＝０／Ｇ＝０／Ｂ＝２５５）それぞれを表示させて測色された各測色結果に基づいて得られる。また、白色でも、諧調を変更した中間色表示、例えば、（Ｒ＝１２８／Ｇ＝１２８／Ｂ＝１２８）、（Ｒ＝６４／Ｇ＝６４／Ｂ＝６４、（Ｒ＝３２／Ｇ＝３２／Ｂ＝３２）等を表示させて、図５に相当する測定結果が得られる。さらに、シアン（Ｒ＝０／Ｇ＝２５５／Ｂ＝２５５）、マゼンタ（Ｒ＝２５５／Ｇ＝０／Ｂ＝２５５）、イエロー（Ｒ＝２５５／Ｇ＝２５５／Ｂ＝０）等補色を表示させて、図５に相当する測定結果が得られる。さらに、任意の各種中間色、例えばダークオレンジ（Ｒ＝２５５／Ｇ＝１４０／Ｂ＝０）、ライトピンク（Ｒ＝２５５／Ｇ＝１８２／Ｂ＝１９３）等の中間色を表示して、図５に相当する測定結果が得られる。そして、これを元に、単色の場合と同様に、測色情報に反映させる。なお、上述のように設定されたＭＤｘＭＤｙＭＤｚ直交座標系およびＤＰｘＤＰｙ直交座標系では、ＭＤｘ軸とＤＰｘ軸とは、互いに一致し、ＭＤｙ軸とＤＰｙ軸とは、互いに一致している（ＭＤｘ＝ＤＰｘ、ＭＤｙ＝ＤＰｙ）。
【００４０】
そして、測色情報記憶部１４１には、このような各測色結果を登録した各テーブルがその測色位置ＰＭの測色距離Ｍｄｉｓに対応付けられて記憶される（本実施形態ではＭｄｉｓ＝ＭＤｚ）。
【００４１】
なお、上述では、測色位置は、６個箇所であるが、これに限定されるものではなく、例えばＤＰ表示部１２の視野角や表示装置ＤＰの仕様等に応じて適宜な個数に設定される。また、上述では、ＤＰ表示部１２の測色における領域数は、ＤＰ表示部１２の表示面を、横方向に３１分割するとともに縦方向に１５分割（３１×１５分割）した４６５個であるが、前記領域数は、これに限定されるものではなく、例えばＤＰ表示部１２の視野角や表示装置ＤＰの仕様等に応じて適宜な個数に設定される。
【００４２】
図２に戻って、距離情報記憶部１４２は、前記距離情報を記憶するものである。前記距離情報は、前記表示面からユーザの位置ＰＵ（Ｕｘ、Ｕｙ、Ｕｚ）までのユーザ距離Ｕｄｉｓに関する情報である。本実施形態では、前記距離情報は、前記ユーザ距離Ｕｄｉｓそのものであり、前記ユーザ距離Ｕｄｉｓの値で直接的に表される。本実施形態では、距離情報記憶部１４２は、距離情報の候補としてＤＰ表示部１２に表示するための互いに異なる複数の距離情報を予め記憶し、そして、ＤＰ表示部１２に表示した前記複数の距離情報のうちから、リモートコントローラＲＤおよび通信ＩＦ部１３を介して入力されたユーザの操作に基づいて選定された距離情報を後述の表示調整部１１３で用いる距離情報として記憶する。さらに、本実施形態では、距離情報記憶部１４２は、表示調整部１１３による表示調整の実施および不実施の別を記憶する。
【００４３】
なお、前記距離情報は、前記表示面に対する観察視野（ＦＯＶ；Ｆｉｅｌｄ  ｏｆ  Ｖｉｅｗ）であっても良い。ＦＯＶは、水平方向および垂直方向それぞれが有るが、ここでは水平方向のＦＯＶであり、図１２に示すように、前記表示面における水平方向の両端点をＡ、Ｂとし、ユーザの位置を表す点（例えば視点）をＣとすると、水平方向のＦＯＶは、角∠ＡＣＢ（線分ＡＣと線分ＢＣとのなす角）の角度で表される。ＤＰ表示部１２の表示面のサイズが予めＤＰ記憶部１４に記憶され、ＤＰ表示部１２の表示面のサイズおよびＦＯＶから三角関数の関係でユーザ距離Ｕｄｉｓが求められる。より具体的には、図１２から、ＡＢ／２＝Ｕｄｉｓ×ｔａｎ（ＦＯＶ／２）であるから、Ｕｄｉｓ＝（ＡＢ／２）／（ｔａｎ（ＦＯＶ／２））である。
【００４４】
ＤＰ制御処理部１１は、表示装置ＤＰの各部を当該各部の機能に応じてそれぞれ制御し、ＤＰ表示部１２の表示面に所定の表示を行う際に、前記ユーザの位置ＰＵ（Ｕｘ、Ｕｙ、Ｕｚ）から前記表示面を見た場合に、予め設定された目標の見え方となるように、ＤＰ表示部１２の表示状態（表示出力）を調整する回路である。ＤＰ制御処理部１１は、例えば、ＣＰＵ（Ｃｅｎｔｒａｌ  Ｐｒｏｃｅｓｓｉｎｇ  Ｕｎｉｔ）（またはＦＰＧＡ（ｆｉｅｌｄ  ｐｒｏｇｒａｍｍａｂｌｅ  ｇａｔｅ  ａｒａｙ））およびその周辺回路を備えて構成される。ＤＰ制御処理部１１は、前記制御処理プログラムが実行されることによって、表示側制御部（ＤＰ制御部）１１１、映像信号生成部１１２、表示調整部１１３、距離情報設定部１１４および測色情報記憶処理部１１５を機能的に備える。
【００４５】
ＤＰ制御部１１１は、表示装置ＤＰの各部を当該各部の機能に応じてそれぞれ制御し、表示装置ＤＰの全体制御を司るものである。
【００４６】
映像信号生成部１１２は、アンテナ１５で得られた受信信号を映像信号に変換し、この映像信号の映像をＤＰ表示部１２の表示面に表示するように、ＤＰ表示部１２を制御するものである。なお、映像信号生成部１１２は、ネットワークを介してダウンロードしたコンテンツや、記録媒体から読み込んだコンテンツや、ＤＰ記憶部１４に記憶されたコンテンツ等をＤＰ表示部１２の表示面に表示するように、ＤＰ表示部１２を制御しても良い。
【００４７】
距離情報設定部１１４は、ＤＰ記憶部１４の距離情報記憶部１４２に予め記憶された互いに異なる複数の距離情報をＤＰ表示部１２に表示し、ＤＰ表示部１２に表示した前記複数の距離情報のうちの１つを、リモートコントローラＲＤおよび通信ＩＦ部１３を介して受け付けたユーザによる操作に基づいて選定し、この選定した距離情報を表示調整部１１３で用いる距離情報として距離情報記憶部１４２に記憶して設定するものである。
【００４８】
表示調整部１１３は、距離情報記憶部１４２に記憶され設定されている距離情報に基づくユーザ距離Ｕｄｉｓと測色情報記憶部１４１に記憶された測色情報とに基づいて、ユーザの位置ＰＵからＤＰ表示部１２の表示面を見た場合に予め設定された目標の見え方となるように、ＤＰ表示部１２の表示状態（表示出力）を調整するものである。前記表示状態（表示出力）は、輝度および色度のうちの少なくとも一方である。本実施形態では、前記測色情報は、輝度Ｙおよび色度ｘ、ｙを含むので、前記表示状態（表示出力）は、輝度および色度の両方であるが（すなわち、輝度Ｙおよび色度ｘ、ｙの両方が調整される）、前記測色情報が輝度Ｙのみである場合には、前記表示状態（表示出力）は、輝度Ｙのみであって良く（すなわち、輝度Ｙのみが調整される）、また、前記測色情報が色度ｘ、ｙのみである場合には、前記表示状態（表示出力）は、色度ｘ、ｙのみであって良い（すなわち、色度ｘ、ｙのみが調整される）。
【００４９】
前記目標の見え方は、予め定義された所定の見え方であって良く、好ましくは、前記目標の見え方は、ＤＰ表示部１２における表示面の中央位置を通る前記表示面の法線上から前記表示面の前記中央位置を見た場合における見え方（正常な見え方）であって良い。本実施形態では、前記目標の見え方には、この正常な見え方が用いられる。
【００５０】
より具体的には、表示調整部１１３は、測色情報記憶部１４１に記憶された測色情報から、距離情報記憶部１４２に記憶され設定されている距離情報に基づくユーザ距離Ｕｄｉｓに応じた測色結果を取り出し、この取り出した測色結果と前記目標の見え方との差を補償するようにＤＰ表示部１２における各画素の出力を調整することで、ＤＰ表示部１２の表示状態を調整する。例えば、ユーザの位置ＰＵ（Ｕｘ、Ｕｙ、Ｕｚ）のＵｘＵｙＵｚ直交座標系およびＭＤｘＭＤｙＭＤｚ直交座標系が互いに一致する場合に、表示調整部１１３は、測色情報記憶部１４１に記憶された測色情報から、ユーザ距離Ｕｄｉｓに一致する測色距離Ｍｄｉｓの測色結果（Ｕｄｉｓ＝Ｍｄｉｓの測色結果）を取り出す。本実施形態では、一例として図５に示すように、輝度Ｙおよび色度ｘ、ｙの各値は、ＤＰ表示部１２における表示面上の位置に応じた値であるので、前記取り出した測色結果と前記目標の見え方との差（調整値）は、ＤＰ表示部１２における表示面上の位置に応じた値となり、表示調整部１１３は、ＤＰ表示部１２における前記表示面上の位置に応じた調整値で、ＤＰ表示部１２の表示状態を調整する。より具体的には、表示調整部１１３は、ＤＰ表示部１２における各画素ごとに、前記取り出した測色結果と前記目標の見え方との差を補償するように前記表示面上の位置に応じた調整値をそれぞれ生成し、この生成した各調整値でＤＰ表示部１２における各画素の出力を調整することで、ＤＰ表示部１２の表示状態を調整する。例えば、ユーザがユーザ距離１００ｃｍの座標（０、０、１００）に所在する場合、図５に示す例では、座標（０、０）の測定結果（輝度Ｙ＝１００ｃｄ／ｍ２、色度ｘ＝０．３１２７、色度ｙ＝０．３２９０）が前記目標の見え方であり、ＤＰ表示部１２における表示面の各領域の測定結果それぞれと目標の見え方（輝度Ｙ＝１００ｃｄ／ｍ２、色度ｘ＝０．３１２７、色度ｙ＝０．３２９０）との差がそれぞれ求められ、これら各差を各領域に対する各調整値として、ＤＰ表示部１２の表示状態が調整される。例えば、座標（−７、−１５）の領域では、その測定結果（輝度Ｙ＝４０ｃｄ／ｍ２、色度ｘ＝０．３３０、色度ｙ＝０．３４５）と目標の見え方（輝度Ｙ＝１００ｃｄ／ｍ２、色度ｘ＝０．３１２７、色度ｙ＝０．３２９０）との差が求められ、この差を調整値として、ＤＰ表示部１２の表示状態が調整される（例えば、輝度Ｙは、その差６０ｃｄ／ｍ２を補償するようにアップされる。すなわち、輝度Ｙは、２．５倍される）。
【００５１】
なお、表示調整部１１３は、測色情報記憶部１４１に記憶された測色情報に、距離情報記憶部１４２に記憶され設定されている距離情報に基づくユーザ距離Ｕｄｉｓに当たる測色結果が無い場合に、測色情報記憶部１４１に記憶された測色情報から、距離情報記憶部１４２に記憶され設定されている距離情報に基づくユーザ距離Ｕｄｉｓに近い順に選択した複数（例えば２個や４個等）の測色距離に対応する複数の測色結果に基づいて、補間（例えば線形補間やスプライン補間やラグランジュ補間等）によって、距離情報記憶部１４２に記憶され設定されている距離情報に基づくユーザ距離Ｕｄｉｓに応じた前記測色結果を生成して良い。
【００５２】
測色情報記憶処理部１１５は、２次元測色計ＭＤからＤＰＩＦ部１６で取得した前記測色結果を前記測色情報として測色情報記憶部１４１に記憶するものである。なお、２次元測色計ＭＤで測定した前記測色結果は、例えば、図６（Ａ）に示すように、表示装置ＤＰと２次元測色計ＭＤとが通信可能にケーブルＣＢで互いに接続され、データ通信によって２次元測色計ＭＤから表示装置ＤＰへ通信されることによって、表示装置ＤＰに入力され、測色情報記憶部１４１に記憶されて良い。この場合、ＤＰＩＦ部１６は、ＲＳ−４８５規格を用いたインターフェース回路、ＵＳＢ規格を用いたインターフェース回路、イーサネット（Ｅｔｈｅｒｎｅｔ、登録商標）規格を用いたインターフェース回路およびＩＥＥＥ８０２．１１規格を用いたインターフェース回路等である。また例えば、２次元測色計ＭＤで測定した前記測色結果は、図６（Ｂ）に示すように、ＵＳＢメモリ等の記憶媒体（記録媒体）ＵＭに保存され、この記憶媒体ＵＭからＤＰＩＦ部１６を介して表示装置ＤＰに入力され、測色情報記憶部１４１に記憶されて良い。この場合、ＤＰＩＦ部１６は、ＵＳＢ規格を用いたインターフェース回路等である。また例えば、２次元測色計ＭＤで測定した前記測色結果は、図略のキーボードから表示装置ＤＰに入力され、測色情報記憶部１４１に記憶されて良い。また例えば、２次元測色計ＭＤで測定した前記測色結果は、ＰＲＯＭ（Ｐｒｏｇｒａｍｍａｂｌｅ  ＲＯＭ）やＥＰＲＯＭ（Ｅｒａｓａｂｌｅ  Ｐｒｏｇｒａｍｍａｂｌｅ  ＲＯＭ）にデータを書き込むためのＲＯＭライタ等を用いて測色情報記憶部１４１に記憶されて良い。
【００５３】
次に、２次元測色計ＭＤの構成について説明する。前記表示システムＤＳにおける２次元測色計ＭＤは、測定対象を２次元で測色する装置であり、前記測定対象を表示装置ＤＰとし、表示装置ＤＰの表示面からユーザの位置ＰＵ（Ｕｘ、Ｕｙ、Ｕｚ）までのユーザ距離Ｕｄｉｓでの表示部１２の見え方を解析するための装置である。このような２次元測色計ＭＤは、例えば、図３に示すように、２次元測定部２１と、測色側制御処理部（ＭＤ制御処理部）２２と、測色側入力部（ＭＤ入力部）２３と、測色側表示部（ＭＤ表示部）２４と、測色側インターフェース部（ＭＤＩＦ部）２５と、測色側記憶部（ＭＤ記憶部）２６とを備える。
【００５４】
２次元測定部２１は、ＭＤ制御処理部２２に接続され、ＭＤ制御処理部２２の制御に従って測定対象としての表示装置ＤＰにおける色度、輝度等の測色値を２次元で測定する装置である。２次元測色計ＭＤが２次元色彩計である場合には、例えば、２次元測定部２１は、表示部１２におけるＲＧＢの各成分を２次元で測定するための光学フィルタおよびエリアイメージセンサ等を備え、表示部１２の表示面における色に応じた測色値をＭＤ制御処理部２２へ出力する。
【００５５】
ＭＤ入力部２３は、ＭＤ制御処理部２２に接続され、例えば測色の開始を指示するコマンド等の各種コマンド、および、例えば測色距離Ｍｄｉｓ等の測色する上で必要な各種データを２次元測色計に入力する機器であり、例えば、所定の機能を割り付けられた複数の入力スイッチ、キーボードおよびマウス等である。ＭＤ表示部２４は、ＭＤ制御処理部２２に接続され、制御処理部２２の制御に従って、ＭＤ入力部２３から入力されたコマンドやデータ等を表示する機器であり、例えばＣＲＴディスプレイ、ＬＣＤ（液晶ディスプレイ）および有機ＥＬディスプレイ等の表示装置である。
【００５６】
なお、ＭＤ入力部２３およびＭＤ表示部２４からタッチパネルが構成されてもよい。このタッチパネルを構成する場合において、ＭＤ入力部２３は、例えば抵抗膜方式や静電容量方式等の操作位置を検出して入力する位置入力装置である。このタッチパネルでは、ＭＤ表示部２４の表示面上に前記位置入力装置が設けられ、ＭＤ表示部２４に入力可能な１または複数の入力内容の候補が表示され、ユーザが、入力したい入力内容を表示した表示位置を触れると、前記位置入力装置によってその位置が検出され、検出された位置に表示された表示内容がユーザの操作入力内容として２次元測色計ＭＤに入力される。このようなタッチパネルでは、ユーザは、入力操作を直感的に理解し易いので、ユーザにとって取り扱い易い２次元測色計ＭＤが提供される。
【００５７】
ＭＤＩＦ部２５は、測定結果を外部の機器へ出力するために、ＭＤ制御処理部２２に接続され、ＭＤ制御処理部２２の制御に従って外部機器との間でデータの入出力を行う回路であり、例えば、ＲＳ−４８５規格を用いたインターフェース回路、ＵＳＢ規格を用いたインターフェース回路、イーサネット（Ｅｔｈｅｒｎｅｔ、登録商標）規格を用いたインターフェース回路およびＩＥＥＥ８０２．１１規格を用いたインターフェース回路等である。
【００５８】
ＭＤ記憶部２６は、ＭＤ制御処理部２２に接続され、ＭＤ制御処理部２２の制御に従って各種の所定のプログラムおよび各種の所定のデータを記憶する回路である。前記各種の所定のプログラムには、例えば、２次元測色計ＭＤの各部を当該各部の機能に応じてそれぞれ制御し、２次元測定部２１で得られた測色値に基づいて２次元色分布の三刺激値ＸＹＺ（測色結果）を求め、この求めた測定結果を前記測色情報としてＭＤＩＦ部２５から出力するようにＭＤＩＦ部２５を制御するＭＤ制御プログラム等の制御処理プログラムが含まれる。前記各種の所定のデータには、各プログラムを実行する上で必要なデータ等が含まれる。ＭＤ記憶部２６は、例えばＲＯＭ、ＥＥＰＲＯＭおよびＲＡＭ等を含む。
【００５９】
ＭＤ制御処理部２２は、２次元測色計ＭＤの各部を当該各部の機能に応じてそれぞれ制御し、測定対象を２次元で測色する回路である。ＭＤ制御処理部２２は、例えば、ＣＰＵおよびその周辺回路を備えて構成される。ＭＤ制御処理部２２は、前記制御処理プログラムが実行されることによって、測色側制御部（ＭＤ制御部）２２１を機能的に備える。
【００６０】
ＭＤ制御部２２１は、２次元測色計ＭＤの各部を当該各部の機能に応じてそれぞれ制御し、２次元測定部２１で得られた測色値に基づいて２次元色分布の三刺激値ＸＹＺ（測色結果）を求めるものである。２次元測定部２１およびＭＤ制御部２２１から、測定対象を２次元で測色する２次元測色部の一例が構成される。ＭＤ制御部２２１は、上述で求めた測定結果を前記測色情報としてＭＤＩＦ部２５から出力するようにＭＤＩＦ部２５を制御する。ＭＤ制御部２２１は、前記測定対象として前記表示装置を前記２次元測色部で測定することによって得られた測定結果を前記測色情報として前記測色側インターフェース部から出力するように、前記測色側インターフェース部を制御する制御部の一例でもある。
【００６１】
なお、上述の２次元測色計ＭＤは、３刺激値を２次元分布で測定する２次元色彩計であるが、これに限定されるものではなく、他のタイプの２次元色彩計であっても良い。例えば、２次元測色計ＭＤは、表示装置ＤＰからの光を回折格子で分光し、この分光をリニアイメージセンサで受光し、前記表示装置ＤＰを一方向に走査することで、前記リニアイメージセンサから出力される１次元分光データから表示装置ＤＰの２次元色分布を計測する分光型２次元測色計であって良い。また例えば、２次元測色計ＭＤは、表示装置ＤＰからの光を光学フィルタを介して受光素子で受光し、前記表示装置ＤＰを例えばラスタースキャンのように２次元で走査することで、前記受光素子から出力される点データから表示装置ＤＰの２次元色分布を計測する２次元測色計であって良い。このような２次元測色計のタイプに応じて２次元測定部２１およびＭＤ制御処理部２２が構成される。
【００６２】
次に、本実施形態の動作について説明する。図７は、前記表示システムにおける表示装置の表示状態の調整に関する設定の動作を示すフローチャートである。図８は、前記表示システムにおける表示装置のＤＰ表示部に表示される、表示状態の調整に関する一例の設定画面を説明するための図である。図９は、前記表示システムにおける表示装置の表示状態の調整に関する動作を示すフローチャートである。図１０は、前記表示システムにおける表示装置の表示状態を説明するための図である。
【００６３】
（表示装置の２次元測色処理）
まず、表示装置ＤＰの製造段階等において、表示装置ＤＰを２次元測色計ＭＤで測定し、その測定結果を測色情報として測色情報記憶部１４１に記憶する測色処理について説明する。
【００６４】
表示装置ＤＰにおける図略の電源スイッチがオンされると、ＤＰ制御処理部１１は、必要な各部の初期化を実行し、その制御処理プログラムの実行によって、ＤＰ制御処理部１１には、ＤＰ制御部１１１、映像信号生成部１１２、表示調整部１１３、距離情報設定部１１４および測色情報記憶処理部１１５が機能的に構成される。同様に、２次元測色計ＭＤにおける図略の電源スイッチがオンされると、必要な各部の初期化を実行し、その制御処理プログラムの実行によって、ＭＤ制御処理部２２には、ＭＤ制御部２２１が機能的に構成される。また、２次元測色計ＭＤと表示装置ＤＰとは、図６（Ａ）に示すように、ケーブルＣＢで通信可能に接続される。なお、ケーブルＣＢによる有線接続に限らず、無線接続であっても良い。
【００６５】
この測色処理では、まず、例えば、図４に示すように、第１測色位置ＰＭ１に２次元測色計ＭＤが配置される。オペレータは、ＭＤ入力部２３から第１測色位置ＰＭ１の測色距離Ｍｄｉｓ１を入力する。なお、２次元測色計ＭＤにおけるＭＤ入力部２３およびＭＤ表示部２４から構成されるタッチパネルに、第１ないし第６測色位置ＰＭ１〜ＰＭ６の各測色距離Ｍｄｉｓ１〜Ｍｄｉｓ６が表示され、これら表示された各測色距離Ｍｄｉｓ１〜Ｍｄｉｓ６から、タッチパネル等で今般の測色での測色距離Ｍｄｉｓが選択され、２次元測色計ＭＤに入力されても良い。
【００６６】
そして、表示装置ＤＰは、ＤＰ制御処理部１１によって、所定の色度輝度調整用画像（測色情報取得用画像）をＤＰ表示部１２に表示する。表示装置ＤＰのＤＰ表示部１２に前記所定の色度輝度調整用画像が表示されると、２次元測色計ＭＤは、ＭＤ制御処理部２２のＭＤ制御部２２１によって、表示装置ＤＰの表示部１２を２次元で測色し、測色結果を求める。そして、２次元測色計ＭＤは、ＭＤ制御部２２１によって、この求めた測色結果に、その測色距離Ｍｄｉｓ１を対応付けてこれらを前記測色情報としてＭＤＩＦ部２５から表示装置ＤＰへ出力する。
【００６７】
そして、表示装置ＤＰは、ＤＰ制御処理部１１の測色情報記憶処理部１１５によって、２次元測色計ＭＤからＤＰＩＦ部１６で取得した測色距離Ｍｄｉｓ１付きの前記測色結果を前記測色情報として測色情報記憶部１４１に記憶する。
【００６８】
そして、このような第１測色位置ＰＭ１で実施された各処理が第２から第６測色位置ＰＭ２〜ＰＭ６それぞれで順次に実施され、第１から第６測色位置ＰＭ１〜ＰＭ６の各測色距離Ｍｄｉｓ１〜Ｍｄｉｓ６に関する測色情報が測色情報記憶部１４１に記憶される。
【００６９】
なお、上述では、各測色距離Ｍｄｉｓ１〜Ｍｄｉｓ６がオペレータによって入力されたが、２次元測色計ＭＤに第１ないし第６測色位置ＰＭ１〜ＰＭ６の各測色距離Ｍｄｉｓ１〜Ｍｄｉｓ６が予め記憶され、オペレータが第１ないし第６測色位置ＰＭ１〜ＰＭ６に順次に２次元測色計ＭＤを配置して測色するものとし、２次元測色計ＭＤが自動的に測色ごとに当該測色結果に第１ないし第６測色位置ＰＭ１〜ＰＭ６の各測色距離Ｍｄｉｓ１〜Ｍｄｉｓ６を順次に対応付けても良い。また、上述では、各測色距離Ｍｄｉｓ１〜Ｍｄｉｓ６の各測定ごとに、その測色結果が前記測色情報として２次元測色計ＭＤから表示装置ＤＰへ通信されたが、各測色距離Ｍｄｉｓ１〜Ｍｄｉｓ６の各測定の終了後に、各測色結果が纏められて前記測色情報として２次元測色計ＭＤから表示装置ＤＰへ通信されても良い。
【００７０】
表示装置ＤＰは、このような測色処理が実施された後に、出荷される。
【００７１】
（表示調整の設定処理）
次に、表示調整の設定処理について説明する。ユーザによって表示装置ＤＰにおける図略の電源スイッチがオンされると、ＤＰ制御処理部１１は、必要な各部の初期化を実行し、その制御処理プログラムの実行によって、ＤＰ制御処理部１１には、ＤＰ制御部１１１、映像信号生成部１１２、表示調整部１１３、距離情報設定部１１４および測色情報記憶処理部１１５が機能的に構成される。
【００７２】
図７において、表示装置ＤＰは、ＤＰ制御処理部１１によって、リモートコントローラＲＤの通信信号を通信ＩＦ部１３で受信したか否かを判定する（Ｓ１１）。この判定の結果、通信信号を受信していない場合（Ｎｏ）には、ＤＰ制御処理部１１は、処理を処理Ｓ１１に戻し、前記判定の結果、通信信号を受信している場合（Ｙｅｓ）には、ＤＰ制御処理部１１は、次の処理Ｓ１２を実行する。したがって、ＤＰ制御処理部１１は、前記通信信号を受信するまで処理Ｓ１１を繰り返す。
【００７３】
ユーザは、表示装置ＤＰを設定するために、リモートコントローラＲＤのメニューボタン４６を操作する。リモートコントローラＲＤは、メニューボタン４６の操作を受け付けると、メニューを表示させる命令（指令、コマンド）を収容した通信信号（メニュー表示指令通信信号）を送信する。この通信信号を受信すると、表示装置ＤＰは、処理Ｓ１１により、次の処理Ｓ１２を実行する。
【００７４】
この処理Ｓ１２では、表示装置ＤＰは、ＤＰ制御処理部１１によって、メニューが選択されたか否かを判定する。より具体的には、ＤＰ制御処理部１１は、処理Ｓ１１で受信した通信信号がメニュー表示指令通信信号であるか否かを判定する。この判定の結果、前記通信信号がメニュー表示指令通信信号ではない場合（Ｎｏ）には、ＤＰ制御処理部１１は、前記通信信号に収容されたデータに応じた適宜な処理を実行し（Ｓ３１）、次に、後述の処理Ｓ２１を実行する。前記判定の結果、前記通信信号がメニュー表示指令通信信号である場合（Ｙｅｓ）には、ＤＰ制御処理部１１は、表示部１２に所定のメニュー画面を表示し（Ｓ１３）、次に、処理Ｓ１４を実行する。前記所定のメニュー画面には、見え方の補正を設定するための見え方補正項目等、所定の複数のメニュー項目が表示され、選択可能に構成されている。
【００７５】
この処理Ｓ１４では、ＤＰ制御処理部１１は、処理Ｓ１１と同様に、リモートコントローラＲＤの通信信号を通信ＩＦ部１３で受信したか否かを判定しており、前記通信信号を受信するまでこの処理Ｓ１４を繰り返す。
【００７６】
処理Ｓ１３でメニュー画面が表示されると、ユーザは、見え方補正項目を選択し、決定ボタン４５を操作する。リモートコントローラＲＤは、決定ボタン４５の操作を受け付けると、見え方補正の設定を行うための命令（指令、コマンド）を収容した通信信号（見え方補正設定指令通信信号）を送信する。この通信信号を受信すると、表示装置ＤＰは、処理Ｓ１４により、次の処理Ｓ１５を実行する。
【００７７】
この処理Ｓ１５では、表示装置ＤＰは、ＤＰ制御処理部１１によって、見え方補正の設定が選択されたか否かを判定する。より具体的には、ＤＰ制御処理部１１は、処理Ｓ１４で受信した通信信号が見え方補正設定指令通信信号であるか否かを判定する。この判定の結果、前記通信信号が見え方補正設定指令通信信号ではない場合（Ｎｏ）には、ＤＰ制御処理部１１は、前記通信信号に収容されたデータに応じた適宜な処理を実行し（Ｓ４１）、次に、後述の処理Ｓ２１を実行する。前記判定の結果、前記通信信号が見え方補正設定指令通信信号である場合（Ｙｅｓ）には、ＤＰ制御処理部１１は、距離情報設定部１１４によって、表示部１２に所定の見え方補正設定画面を表示し（Ｓ１６）、次に、処理Ｓ１７を実行する。
【００７８】
この見え方補正設定画面は、表示調整部１１３による表示調整を実施するか否かの設定、および、前記表示調整を実施する場合に、ユーザ距離に関する距離情報を表示装置ＤＰに設定するための画面である。この見え方補正設定画面３０は、例えば、図８に示すように、表示調整部１１３による表示調整を実施するか否かを設定するための補正有無設定領域３１と、表示調整部１１３で用いる距離情報（本実施形態ではユーザ距離Ｕｄｉｓそのもの）を設定するための距離情報設定領域３２と、表示部１２に表示された画面を１つ前の画面に戻すための「戻る」ボタン３３とを備える。
【００７９】
補正有無設定領域３１は、表示調整部１１３による表示調整の実施を設定するための「あり」領域３１１と、表示調整部１１３による表示調整の不実施を設定するための「なし」領域３１２とを備える。距離情報設定領域３２は、表示調整部１１３で用いる距離情報を、ユーザ距離３０ｃｍ（Ｕｄｉｓ＝３０ｃｍ）、ユーザ距離５０ｃｍ（Ｕｄｉｓ＝５０ｃｍ）、ユーザ距離１ｃｍ（Ｕｄｉｓ＝１ｍ）、ユーザ距離２ｍ（Ｕｄｉｓ＝２ｍ）、ユーザ距離３ｍ（Ｕｄｉｓ＝３ｍ）およびユーザ距離５ｍ（Ｕｄｉｓ＝５ｍ）に設定するための「３０ｃｍ」領域３２１、「５０ｃｍ」領域３２２、「１ｍ」領域３２３、「２ｍ」領域３２４、「３ｍ」領域３２５および「５ｍ」領域３２６を備える。距離情報設定領域３２のユーザ距離Ｕｄｉｓは、本実施形態では、ＤＰ表示部１２の表示面からＭＤｚ軸上におけるユーザの位置ＰＵまでの距離で、前記距離情報の候補として距離情報記憶部１４２に記憶されている。これら各領域３１１、３１２、３２１〜３２６は、選択されると、例えば反転表示される。図８では、選択されて反転表示されている領域が斜線のハッチングで示されている。
【００８０】
なお、見え方補正設定画面３０は、距離情報設定領域３２に、ユーザがユーザ距離Ｕｄｉｓを指定するユーザ指定領域を備えても良い。ユーザ指定領域には、数値が表示され、リモートコントローラＲＤにおける上方向カーソルボタン４４−１および下方向カーソルボタン４４−２を用いることによって、ユーザ指定領域に表示された数値がアップダウンする。これによってユーザの所望する任意のユーザ距離Ｕｄｉｓが指定できる。また、リモートコントローラＲＤにテンキーがさらに備えられ、前記テンキーを用いることによって、ユーザ指定領域に、ユーザの所望する任意のユーザ距離Ｕｄｉｓが直接指定されても良い。
【００８１】
図７に戻って、前記処理Ｓ１７では、ＤＰ制御処理部１１は、処理Ｓ１１と同様に、リモートコントローラＲＤの通信信号を通信ＩＦ部１３で受信したか否かを判定しており、前記通信信号を受信するまでこの処理Ｓ１７を繰り返す。
【００８２】
処理Ｓ１６で見え方補正設定画面３０が表示されると、ユーザは、見え方補正設定画面３０で所望の項目を選択するために、適宜なカーソルボタン４４を操作する。リモートコントローラＲＤは、上方向カーソルボタン４４−１の操作を受け付けると、現在選択されている領域から上方向の領域の選択へ移行（シフト）させるための命令（指令、コマンド）を収容した通信信号（上方向領域シフト指令通信信号）を送信し、下方向カーソルボタン４４−２の操作を受け付けると、現在選択されている領域から下方向の領域の選択へ移行させるための命令を収容した通信信号（下方向領域シフト指令通信信号）を送信し、右方向カーソルボタン４４−３の操作を受け付けると、現在選択されている領域から右方向の領域の選択へ移行させるための命令を収容した通信信号（右方向領域シフト指令通信信号）を送信し、左方向カーソルボタン４４−４の操作を受け付けると、現在選択されている領域から左方向の領域の選択へ移行させるための命令を収容した通信信号（左方向領域シフト指令通信信号）を送信する。この通信信号を受信すると、表示装置ＤＰは、処理Ｓ１７により、次の処理Ｓ１８を実行する。
【００８３】
この処理Ｓ１８では、表示装置ＤＰは、ＤＰ制御処理部１１によって決定されたか否かを判定する。より具体的には、ＤＰ制御処理部１１は、処理Ｓ１７で受信した通信信号が決定ボタン４５の操作によって設定を決定させるための通信信号（決定指令通信信号）であるか否かを判定する。この判定の結果、前記通信信号が決定指令通信信号ではない場合には、ＤＰ制御処理部１１は、処理Ｓ２０を実行し、前記通信信号が決定指令通信信号である場合には、ＤＰ制御処理部１１は、処理Ｓ１９を実行する。
【００８４】
処理Ｓ２０では、ＤＰ制御処理部１１は、前記通信信号に収容されたデータに応じた適宜な処理を実行し、処理を処理Ｓ１６に戻す。例えば、処理Ｓ１７で受信した通信信号が上方向領域シフト指令通信信号である場合には、ＤＰ制御処理部１１は、現在選択されている領域から上方向の領域を選択し、この上方向の領域を前記選択された領域としてＤＰ表示部１２に表示する。
【００８５】
ユーザは、適宜なカーソルボタン４４の操作により、見え方補正設定画面３０で所望の項目を選択する。図８に示す例では、「あり」領域３１１と「３ｍ」領域３２５とが選択されている。ユーザは、見え方補正設定画面３０で所望の項目を選択すると、決定ボタン４５を操作する。リモートコントローラＲＤは、決定ボタン４５の操作を受け付けると、決定指令通信信号を送信する。この決定指令通信信号を受信すると、表示装置ＤＰは、処理Ｓ１８により、次の処理Ｓ１９を実行する。
【００８６】
この処理Ｓ１９では、表示装置ＤＰは、距離情報設定部１１４によって見え方補正の設定処理を実行する。より具体的には、距離情報設定部１１４は、見え方補正設定画面３０で選択された内容をＤＰ記憶部１４の距離情報記憶部１４２に記憶し、設定する。より詳しくは、距離情報設定部１１４は、見え方補正設定画面３０で「なし」領域３１２が選定された場合には、表示調整部１１３による表示調整を実施しない旨を距離情報記憶部１４２に記憶する。例えば、表示調整部１１３による表示調整の実施および不実施の別を表す実施フラグ（例えば実施の場合は実施フラグ＝１であり、不実施の場合は実施フラグ＝０である）が距離情報記憶部１４２に記憶される。また、距離情報設定部１１４は、見え方補正設定画面３０で「あり」領域３１１が選定された場合には、表示調整部１１３による表示調整を実施する旨を距離情報記憶部１４２に記憶し、そして、見え方補正設定画面３０で選定された距離情報（本実施形態ではユーザ距離Ｕｄｉｓそのもの）を表示調整部１１３で用いる距離情報として距離情報記憶部１４２に記憶し、設定する。図８に示す例では、実施フラグ＝１およびユーザ距離Ｕｄｉｓ＝３ｍが距離情報記憶部１４２に記憶され、設定される。
【００８７】
そして、これら上述の処理Ｓ１９、処理Ｓ３１、処理Ｓ４１の次に、処理Ｓ２１が実行される。この処理Ｓ２１では、表示装置ＤＰは、ＤＰ制御処理部１１によって、電源がオフされたか否かを判定する。この判定の結果、電源がオフされていない場合には、処理が処理Ｓ１１に戻され、電源がオフされている場合には、処理を終了する。
【００８８】
このような動作によって、表示調整の設定処理が実行される。このような表示調整の設定処理は、表示装置ＤＰの初期設定として表示装置ＤＰの使用前に、あるいは、表示装置ＤＰの使用中における適宜なタイミング（例えばユーザの好みのタイミング）で実施される。
【００８９】
（表示調整）
次に、表示装置ＤＰの表示状態の調整に関する動作について説明する。本実施形態における表示システムＤＳおよび表示装置ＤＰは、例えば静止画や動画等のコンテンツをＤＰ表示部１２に表示する際に、表示状態の調整に関し、前記静止画を表示する場合にはその際に、また、前記動画を表示する場合には各フレームごとに、あるいは、数フレームごとに、次のように動作する。
【００９０】
図９において、まず、ＤＰ制御処理部１１は、ＤＰ記憶部１４の距離情報記憶部１４２に記憶されている、表示調整部１１３による表示調整の実施および不実施の別（本実施形態では実施フラグの内容）および表示調整部１１３にで用いる距離情報（本実施形態ではユーザ距離Ｕｄｉｓそのものの値）を取得する（Ｓ５１）。
【００９１】
次に、ＤＰ制御処理部１１は、見え方補正の要否を判定する（Ｓ５２）。より具体的には、ＤＰ制御処理部１１は、ＤＰ記憶部１４の距離情報記憶部１４２に記憶されている実施フラグを参照することで、表示調整部１１３による表示調整を実施するか否かを判定する。この判定の結果、表示調整部１１３による表示調整を実施しない場合（Ｎｏ）には、表示調整部１１３による表示調整を実施せずに、そのままコンテンツをＤＰ表示部１２に表示し（Ｓ５６）、処理を終了する。一方、前記判定の結果、表示調整部１１３による表示調整を実施する場合（Ｙｅｓ）には、ＤＰ制御処理部１１は、次の処理Ｓ５３ないし処理Ｓ５５の各処理を順次に実行する。
【００９２】
この処理Ｓ５３ないし処理Ｓ５５では、ＤＰ制御処理部１１は、表示調整部１１３によって、処理Ｓ５１で距離情報記憶部１４２から取得した距離情報に基づくユーザ距離Ｕｄｉｓと測色情報記憶部１４１に記憶された測色情報とに基づいて、前記ユーザの所在位置ＰＵ（Ｕｘ、Ｕｙ、Ｕｚ）からＤＰ表示部１２の表示面を見た場合に前記目標の見え方となるように、前記表示面上の位置に応じた調整値で、ＤＰ表示部１２の表示状態（表示出力）を調整して表示する。
【００９３】
より具体的には、処理Ｓ５３において、表示調整部１１３は、測色情報記憶部１４１に記憶された測色情報から、前記ユーザ距離Ｕｄｉｓに応じた測色結果を選定し、取り出す。本実施形態では、表示調整部１１３は、測色情報記憶部１４１に記憶された測色情報から、前記ユーザ距離Ｕｄｉｓに一致する測色距離Ｍｄｉｓでの測色結果を選定し、取り出す。例えば、前記ユーザ距離Ｕｄｉｓが１ｍである場合、表示調整部１１３は、測色情報記憶部１４１に記憶された測色情報から、測色距離Ｍｄｉｓ＝１ｍ（＝１００ｃｍ）の第３測色位置ＰＭ３に配置された２次元測色計ＭＤで測色された図５に示す測色結果を選定し、取り出す。
【００９４】
なお、ユーザ距離Ｕｄｉｓがユーザ指定であり、ユーザ距離Ｕｄｉｓに一致する測色距離Ｍｄｉｓでの測色結果が測色情報記憶部１４１に記憶されていない場合、補間によって、前記ユーザ距離Ｕｄｉｓに応じた測色結果が生成され、取得されても良い。例えば、前記ユーザ距離Ｕｄｉｓが１．５ｍである場合、表示調整部１１３は、測色情報記憶部１４１に記憶された測色情報から、前記ユーザ距離Ｕｄｉｓ＝１．５ｍに近い順に２個の第３測色距離Ｍｄｉｓ３＝１ｍおよび第４測色距離Ｍｄｉｓ４＝２ｍが選択され、これら選択された第３および第４測色距離Ｍｄｉｓ＝１、２ｍでの各測色結果が取り出され、これら各測色結果に基づいて、補間によって、前記ユーザ距離Ｕｄｉｓ＝１．５ｍに対応する測色結果を生成する。
【００９５】
次に、処理Ｓ５４では、表示調整部１１３は、ＤＰ表示部１２における各画素ごとに、この取り出した測色結果と前記目標の見え方との差を補償するように前記表示面上の位置に応じた調整値をそれぞれ生成する。
【００９６】
そして、処理Ｓ５５では、表示調整部１１３は、処理Ｓ５４で求めた各調整値を用いて表示を行い、処理を終了する。例えば、前記静止画の表示では、ＤＰ制御処理部１１は、処理Ｓ５４で求めた各調整値を用いて前記静止画の各画素値をそれぞれ調整して前記静止画をＤＰ表示部１２に表示する。また例えば、前記動画の表示では、ＤＰ制御処理部１１は、処理Ｓ５４で求めた各調整値を用いて前記動画におけるフレームの各画素値を調整して前記動画のフレームをＤＰ表示部１２に表示する。
【００９７】
一例として、前記ユーザ距離Ｕｄｉｓが１ｍである場合、図５に示すように、座標（０、０）の測定結果（輝度Ｙ＝１００ｃｄ／ｍ２、色度ｘ＝０．３１２７、色度ｙ＝０．３２９０）が前記目標の見え方であり、ＤＰ表示部１２における表示面の各領域の測定結果それぞれと目標の見え方（輝度Ｙ＝１００ｃｄ／ｍ２、色度ｘ＝０．３１２７、色度ｙ＝０．３２９０）との差がそれぞれ求められ、これら各差を各領域に対する各調整値として、各領域における各画素の表示状態が調整される。例えば、座標（−１４、０）の領域では、その測定結果（輝度Ｙ＝８０ｃｄ／ｍ２、色度ｘ＝０．３２６、色度ｙ＝０．３４２）と目標の見え方（輝度Ｙ＝１００ｃｄ／ｍ２、色度ｘ＝０．３１２７、色度ｙ＝０．３２９０）との差が求められ、この差を調整値として、座標（−１４、０）の領域における各画素の表示状態が調整される（例えば、各画素の輝度Ｙは、その差２０ｃｄ／ｍ２を補償するようにアップされる。すなわち、各画素の輝度Ｙは、１．２５倍される）。
【００９８】
一例では、ユーザがＭＤｚ軸上からＤＰ表示部１２を見込むと、表示調整部１１３による表示状態を調整しない場合、すなわち、従来の表示装置の場合や処理Ｓ５６が実行される場合では、図１０（Ｂ）に示すように、中央に位置する領域ＡＲ２に表示された画像の見え方と、例えば四隅に位置する各領域ＡＲ１、ＡＲ３〜ＡＲ５に表示された各画像の各見え方とは、異なってしまう。より詳しくは、各領域ＡＲ１、ＡＲ３〜ＡＲ５に表示された各画像は、領域ＡＲ２に表示された画像より赤みが強い色になる（色温度が低い）。しかしながら、上述の処理Ｓ５３ないし処理Ｓ５５の各処理が実行される場合では、ユーザがＭＤｚ軸上からＤＰ表示部１２を見込んでも、図１０（Ａ）に示すように、中央に位置する領域ＡＲ２に表示された画像の見え方と、四隅に位置する各領域ＡＲ１、ＡＲ３〜ＡＲ５に表示された各画像の各見え方とは、略同等となる（色温度が等しい）。すなわち、ＤＰ表示部１２における表示面の中央位置を通る前記表示面の法線上の観察位置から、中央の領域ＡＲ１に表示された画像の見え方と、前記表示面における領域ＡＲ１を除く他の各領域（前記領域ＡＲ１、ＡＲ３〜ＳＲ５を含む）それぞれに表示された各画像の各見え方は、略同等となる。なお、図１０では、色度点のｘ値、ｙ値ではなく、説明の簡単化のために、色温度が括弧書きで示してある。
【００９９】
以上説明したように、本実施形態における表示システムＤＳ、表示装置ＤＰおよびこれに実装された表示方法は、上述のように受け付けた距離情報に基づくユーザ距離Ｕｄｉｓと測色情報記憶部１４１に記憶された測色情報とに基づいて、ユーザの位置（Ｕｘ、Ｕｙ、Ｕｚ）からＤＰ表示部１２の表示面を見た場合に目標の見え方となるように、ＤＰ表示部１２の表示状態を調整するので、表示面からユーザまでのユーザ距離Ｕｄｉｓに応じて表示状態（表示出力）を調整できる。したがって、前記目標の見え方が前記正常の見え方である場合、ユーザがＭＤｚ軸上からＤＰ表示部１２を見込むと、表示調整部１１３による表示状態の調整の結果、ＤＰ表示部１２の表示面における各領域（各単位領域）は、中央に位置する領域ＡＲ２に表示された画像の見え方と、略同等となる（色温度が等しい）。
【０１００】
ユーザは、ＤＰ表示部１２における表示面の各位置を、前記各位置に応じた各角度で見込むため、前記各位置に応じた各見え方で見えることになるが、上記表示システムＤＳ、表示装置ＤＰおよび表示方法は、前記表示面上の位置に応じた調整値で、ＤＰ表示部１２の表示状態を調整するので、前記各位置に応じた各見え方を個々に好適に調整できる。
【０１０１】
また、上記表示システムＤＳ、表示装置ＤＰおよび表示方法は、予め複数の距離情報を距離情報記憶部１４２に記憶しているので、これら予め用意された複数の距離情報のうちから、ユーザの所望する距離情報を容易に選択して表示装置ＤＰに設定できる。そして、この場合に、上記表示システムＤＳ、表示装置ＤＰおよび表示方法は、リモートコントローラＲＤの通信信号を受信する通信ＩＦ部１３を備えるので、遠隔操作で、ユーザの所望する距離情報を容易に選択して表示装置に設定できる。
【０１０２】
また、上記表示システムＤＳでは、表示装置ＤＰは、２次元測色計ＭＤで測色した測色結果を取得するので、自動的に、前記測色結果を前記測色情報として測色情報記憶部１４１に記憶できる。
【０１０３】
また、本実施形態によれば、表示装置ＤＰに記憶される測色値を求めるための２次元測色計ＭＤおよびその２次元測色方法が提供される。そして、このような２次元測色計ＭＤおよび２次元測色方法は、自動的に、前記測色結果を前記測色情報として表示装置ＤＰへ出力できる。
【０１０４】
なお、上述の実施形態では、オペレータが２次元測色計ＭＤを第１ないし第６測色位置ＰＭ１〜ＰＭ６に順次に配置し、各測色距離を２次元測色計ＭＤに入力したが、表示装置ＤＰが第１ないし第６測色位置ＰＭ１〜ＰＭ６の各測色位置をガイド（案内）し、２次元測色計ＭＤが表示装置ＤＰの前記案内の表示から測色距離を読み取っても良い。これによれば、オペレータは、表示装置ＤＰの案内を参照することができ、測色距離を入力する必要が無くなる。
【０１０５】
この場合では、表示装置ＤＰは、図２に破線で示すように、ＤＰ制御処理部１１に位置表示処理部１１６を機能的にさらに備え、２次元測色計ＭＤは、図３に破線で示すように、ＭＤ制御処理部２２に測色位置処理部２２２を機能的にさらに備える。
【０１０６】
位置表示処理部１１６は、測色位置ＰＭを案内するために、前記測色結果を得るためにＤＰ表示部１２の表示面に所定の色度輝度調整用画像（測色情報取得用画像）を表示する際に、測色位置ＰＭも表示するものである。位置表示処理部１１６は、測定の終了を収容した通信信号をＤＰＩＦ部１６を介して受け付けると、次の測色位置ＰＭを案内する。より具体的には、位置表示処理部１１６は、例えば、図１１に示すように、色度輝度調整用画像内に、測色位置ＰＭを表示する。図１１は、測色情報を取得する際に、表示システムＤＳにおける表示装置ＤＰのＤＰ表示部１２に表示される画面の一例を説明するための図である。図１１に示す例では、ＤＰ表示部１２には、２次元測色計ＭＤの第３測色位置ＰＭ３である、ＭＤｘ＝０、ＭＤｙ＝０、ＭＤｚ＝１００が表示されている。また図１１には、２次元測色計ＭＤをＤＰ表示部１２の表示面上に正射影した場合における２次元測色計ＭＤの影が破線で示されている。位置表示処理部１１６は、測色の終了を収容した通信信号をＤＰＩＦ部１６を介して受け付けると、次の第４測色位置ＰＭ４を案内するために、ＭＤｘ＝０、ＭＤｙ＝０、ＭＤｚ＝１００の表示を、ＭＤｘ＝０、ＭＤｙ＝０、ＭＤｚ＝２００の表示に切り換える。
【０１０７】
測色位置処理部２２２は、ＤＰ表示部１２の表示面に表示された測色位置ＰＭを取得し、この取得した測色位置ＰＭから測色距離Ｍｄｉｓを求め、この求めた測色距離Ｍｄｉｓを対応付けて前記測色結果をＭＤＩＦ部２５から出力するものである。より具体的には、測色位置処理部２２２は、２次元測定部２１によって取得したＤＰ表示部１２の画像から、ＯＣＲ（Ｏｐｔｉｃａｌ  ｃｈａｒａｃｔｅｒ  ｒｅｃｏｇｎｉｔｉｏｎ；光学文字認識）等の公知の文字認識技術によって、ＤＰ表示部１２の表示面に表示された測色位置ＰＭを取得し、この取得した測色位置ＰＭのＭＤｚ値を測色距離Ｍｄｉｓとして求め（Ｍｄｉｓ＝ＭＤｚ）、この求めた測色距離Ｍｄｉｓを対応付けて前記測色結果をＭＤＩＦ部２５から出力する。２次元測定部２１は、通常、上述のようにエリアイメージセンサを備えるので、ＤＰ表示部１２の画像を取得できる。そして、測色位置処理部２２２は、ＭＤ入力部２３から測色の終了を受け付けると、その旨を収容した通信信号をＭＤＩＦ部２５から表示装置ＤＰへ出力する。
【０１０８】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【符号の説明】
【０１０９】
ＤＳ  表示システム
ＤＰ  表示装置
ＭＤ  ２次元測色計
ＲＤ  リモートコントローラ
１１  表示側制御処理部（ＤＰ制御処理部）
１２  表示側表示部（ＤＰ表示部）
１３  通信インターフェース部（通信ＩＦ部）
１４  表示側記憶部（ＤＰ記憶部）
１５  アンテナ
１６  表示側インターフェース部（ＤＰＩＦ部）
２１  ２次元測色部
２２  測色側制御処理部（ＭＤ制御処理部）
２３  測色側入力部（ＭＤ入力部）
２４  測色側表示部（ＭＤ表示部）
２５  測色側インターフェース部（ＭＤＩＦ部）
１１１  表示側制御部（ＤＰ制御部）
１１２  映像信号生成部
１１３  表示調整部
１１４  距離情報設定部
１１５  測色情報記憶処理部
１１６  位置表示処理部
１４１  測色情報記憶部
１４２  距離情報記憶部
２２１  測色側制御部（ＭＤ制御部）
２２２  測色位置処理部
【図１】
2017146525.tif 000003
【図２】
2017146525.tif 000004
【図３】
2017146525.tif 000005
【図４】
2017146525.tif 000006
【図５】
2017146525.tif 000007
【図６】
2017146525.tif 000008
【図７】
2017146525.tif 000009
【図８】
2017146525.tif 000010
【図９】
2017146525.tif 000011
【図１０】
2017146525.tif 000012
【図１１】
2017146525.tif 000013
【図１２】
2017146525.tif 000014